(57)【要約】【課題】ユーザが所望の放送番組を見逃してしまうことを防止する。【解決手段】放送受信装置１は、視聴中の放送番組の裏番組、及び視聴中の放送番組の終了後に放送される放送番組の少なくとも一方を含む対象番組の中から候補番組を決定する候補番組決定部５ｂと、候補番組決定部５ｂによって決定された候補番組に関する情報である候補番組情報を、視聴中の放送番組とともに表示部８ａに表示する番組情報提示部４ｂと、番組情報提示部４ｂが候補番組情報を表示すべき表示タイミングを決定するタイミング決定部５ａと、候補番組情報が表示された後のユーザの選局操作を受け付ける受付部４ａと、受付部４ａによって受け付けられた選局操作に従う放送番組を表示部８ａに表示する表示制御部４とを備える。【選択図】図１
2014107675.tif 000002
【特許請求の範囲】
【請求項１】
視聴中の放送番組の裏番組、及び前記視聴中の放送番組の終了後に放送される放送番組の少なくとも一方を含む対象番組の中から候補番組を決定する候補番組決定部と、
前記候補番組決定部によって決定された候補番組に関する情報である候補番組情報を、前記視聴中の放送番組とともに表示部に表示する番組情報提示部と、
前記番組情報提示部が前記候補番組情報を表示すべき表示タイミングを決定するタイミング決定部と、
前記候補番組情報が表示された後のユーザの選局操作を受け付ける受付部と、
前記受付部によって受け付けられた前記選局操作に従う放送番組を前記表示部に表示する表示制御部とを備える、放送受信装置。
【請求項２】
前記タイミング決定部は、前記視聴中の放送番組の終了後のタイミングを表示タイミングとして決定する、請求項１に記載の放送受信装置。
【請求項３】
前記タイミング決定部は、前記視聴中の放送番組においてコマーシャルが放送されるタイミングを表示タイミングとして決定する、請求項１又は請求項２に記載の放送受信装置。
【請求項４】
前記候補番組決定部は、特定の放送番組を前記候補番組として決定し、
前記タイミング決定部は、前記特定の放送番組の開始前のタイミングを表示タイミングとして決定する、請求項１から請求項３のいずれか１項に記載の放送受信装置。
【請求項５】
前記候補番組決定部は、ユーザが過去に視聴した放送番組の属性に基づいて前記候補番組を決定する、請求項１から請求項４のいずれか１項に記載の放送受信装置。
【請求項６】
前記候補番組決定部は、前記放送受信装置がアクセス可能なサーバに格納される前記対象番組に関する情報である対象番組情報に基づいて、前記候補番組を決定する、請求項１から請求項５のいずれか１項に記載の放送受信装置。
【請求項７】
前記候補番組決定部は、前記対象番組情報に含まれる、前記対象番組の視聴度合を示す視聴データに基づいて、前記候補番組を決定する、請求項６に記載の放送受信装置。
【請求項８】
前記番組情報提示部は、番組宣伝用の画像、番組宣伝用の動画、チャンネル名、チャンネルロゴ、及び番組名の少なくともいずれか１つを、前記候補番組情報として前記表示部に表示する、請求項１から請求項７のいずれか１項に記載の放送受信装置。
【請求項９】
前記番組情報提示部は、前記放送受信装置がアクセス可能なサーバに格納される前記番組宣伝用の画像又は動画を、前記候補番組情報として前記表示部に表示する、請求項８に記載の放送受信装置。
【請求項１０】
前記番組情報提示部は、前記候補番組決定部によって決定された前記候補番組におけるあるタイミングの画像を、前記候補番組情報として前記表示部に表示する、請求項１から請求項９のいずれか１項に記載の放送受信装置。
【請求項１１】
前記番組情報提示部は、前記候補番組が放送されるチャンネルへの切り替えを受け付けるための、前記候補番組情報を含むアイコンを前記表示部に表示する、請求項１から請求項１０のいずれか１項に記載の放送受信装置。
【請求項１２】
前記表示部に表示される前記アイコンには、前記放送受信装置のユーザインタフェースにおけるチャンネルボタンに付された番号に対応する番号が付され、
前記表示制御部は、前記チャンネルボタンが押されると、前記チャンネルボタンの番号に対応する番号が付された前記アイコンに対応するチャンネルで放送されている放送番組を前記表示部に表示する、請求項１１に記載の放送受信装置。
【請求項１３】
視聴中の放送番組の裏番組、及び前記視聴中の放送番組の終了後に放送される放送番組の少なくとも一方を含む対象番組の中から候補番組を決定するステップと、
決定した前記候補番組に関する情報である候補番組情報を、前記視聴中の放送番組とともに表示部に表示するステップと、
前記候補番組情報を前記表示部に表示すべき表示タイミングを決定するステップと、
前記候補番組情報が表示された後のユーザの選局操作を受け付けるステップと、
受け付けた前記選局操作に従う放送番組を前記表示部に表示するステップとを含む、番組情報表示方法。
【請求項１４】
放送受信装置において用いられる番組情報表示プログラムであって、コンピュータに、
視聴中の放送番組の裏番組、及び前記視聴中の放送番組の終了後に放送される放送番組の少なくとも一方を含む対象番組の中から候補番組を決定するステップと、
決定した前記候補番組に関する情報である候補番組情報を、前記視聴中の放送番組とともに表示部に表示するステップと、
前記候補番組情報を前記表示部に表示すべき表示タイミングを決定するステップと、
前記候補番組情報が表示された後のユーザの選局操作を受け付けるステップと、
受け付けた前記選局操作に従う放送番組を前記表示部に表示するステップとを実行させるための、番組情報表示プログラム。
【発明の詳細な説明】
【技術分野】
【０００１】
本発明は、放送受信装置、番組情報表示方法、及び番組情報表示プログラムに関し、特に、放送番組が表示される表示部に所定の情報を表示させる放送受信装置、番組情報表示方法、及び番組情報表示プログラムに関する。
【背景技術】
【０００２】
近年、ＢＳデジタル放送等が開始されたこともあり、ユーザは、従来と比べて多くのチャンネルから所望の放送番組を選択できるようになった。これに伴い、近年のテレビジョン装置の多くは、画面にテキストベースの放送番組表を表示できるようになっている。これにより、ユーザは、放送番組表をスクロールしながら閲覧できるため、新聞のテレビ欄では掲載しきれない多くの番組情報を得ることができる（例えば、“電子番組ガイド”、Wikipedia、［online］、［２０１２年１０月１日検索］、インターネット〈http://ja.wikipedia.org/wiki/電子番組ガイド〉（非特許文献１）参照）。
【先行技術文献】
【非特許文献】
【０００３】
【非特許文献１】“電子番組ガイド”、Wikipedia、［online］、［２０１２年１０月１日検索］、インターネット〈http://ja.wikipedia.org/wiki/電子番組ガイド〉
【発明の概要】
【発明が解決しようとする課題】
【０００４】
しかしながら、上記のように、単に放送番組表を画面に表示させる構成では、ユーザが番組表を閲覧するには、ユーザがリモートコントローラの番組表ボタンを押すなどして番組表を表示させる必要がある。すなわち、ユーザが番組表ボタンを押すことなく、ある番組を見続けた場合、本来ユーザが視聴を望んでいた放送番組が始まってしまっているか、又は終了してしまっていることがある。
【０００５】
この発明は、上述の課題を解決するためになされたもので、その目的は、ユーザが所望の放送番組を見逃してしまうことを防止することが可能な放送受信装置、番組情報表示方法、及び番組情報表示プログラムを提供することである。
【課題を解決するための手段】
【０００６】
（１）この発明のある局面に係わる放送受信装置は、視聴中の放送番組の裏番組、及び上記視聴中の放送番組の終了後に放送される放送番組の少なくとも一方を含む対象番組の中から候補番組を決定する候補番組決定部と、上記候補番組決定部によって決定された候補番組に関する情報である候補番組情報を、上記視聴中の放送番組とともに表示部に表示する番組情報提示部と、上記番組情報提示部が上記候補番組情報を表示すべき表示タイミングを決定するタイミング決定部と、上記候補番組情報が表示された後のユーザの選局操作を受け付ける受付部と、上記受付部によって受け付けられた上記選局操作に従う放送番組を上記表示部に表示する表示制御部とを備える。
【０００７】
このような構成により、視聴中の放送番組の裏番組、すなわち、視聴中の放送番組が放送されているチャンネルとは異なるチャンネルで放送中の放送番組、及び上記視聴中の放送番組の終了後に放送される自チャンネル又は他チャンネルの放送番組の中から候補番組が決定される。そして、この候補番組に関する候補番組情報が、タイミング決定部によって決定された表示タイミングで、表示部に表示される。すなわち、タイミング決定部が表示タイミングを決定し、候補番組情報がその表示タイミングで自動的に表示部に表示されるため、ユーザが所望の放送番組を見逃してしまうことを防止できる。なお、表示部に表示されている放送番組は、上記候補番組情報には含まれない。
【０００８】
（２）好ましくは、上記タイミング決定部は、上記視聴中の放送番組の終了後のタイミングを表示タイミングとして決定する。
【０００９】
このような構成により、ユーザが放送番組を見終わった後という適切なタイミングで、候補番組情報をユーザに提示することができる。また、ユーザが視聴中の放送番組の画面中に、別の情報が割り込んできてしまうことを防止できる。
【００１０】
（３）好ましくは、上記タイミング決定部は、上記視聴中の放送番組においてコマーシャルが放送されるタイミングを表示タイミングとして決定する。
【００１１】
このような構成により、コマーシャル中という適切なタイミングで、候補番組情報をユーザに提示することができる。また、ユーザが視聴中の放送番組の画面中に、別の情報が割り込んできてしまうことを防止できる。
【００１２】
（４）好ましくは、上記候補番組決定部は、特定の放送番組を上記候補番組として決定し、上記タイミング決定部は、上記特定の放送番組の開始前のタイミングを表示タイミングとして決定する。
【００１３】
このような構成により、ユーザが、特定の放送番組、例えばユーザによって予め設定された放送番組を見逃してしまうリスクを回避できる。
【００１４】
（５）好ましくは、上記候補番組決定部は、ユーザが過去に視聴した放送番組の属性に基づいて上記候補番組を決定する。
【００１５】
このような構成により、ユーザは、自分の好みに合った放送番組に関する情報を得ることができる。
【００１６】
（６）好ましくは、上記候補番組決定部は、上記放送受信装置がアクセス可能なサーバに格納される上記対象番組に関する情報である対象番組情報に基づいて、上記候補番組を決定する。
【００１７】
このように、対象番組に関する対象番組情報をサーバから取得可能とし、この対象番組情報に基づいて候補番組を決定することで、候補番組の決定に用いることができる情報の選択肢を広げることができる。
【００１８】
（７）より好ましくは、上記候補番組決定部は、上記対象番組情報に含まれる、上記対象番組の視聴度合を示す視聴データに基づいて、上記候補番組を決定する。
【００１９】
このような構成により、人気の放送番組に関する情報を、候補番組情報としてユーザに提供できる。
【００２０】
（８）好ましくは、上記番組情報提示部は、番組宣伝用の画像、番組宣伝用の動画、チャンネル名、チャンネルロゴ、及び番組名の少なくともいずれか１つを、上記候補番組情報として上記表示部に表示する。
【００２１】
このような構成により、番組宣伝用の画像等の適切な情報を、候補番組情報としてユーザに提供できる。
【００２２】
（９）より好ましくは、上記番組情報提示部は、上記放送受信装置がアクセス可能なサーバに格納される上記番組宣伝用の画像又は動画を、上記候補番組情報として上記表示部に表示する。
【００２３】
このように、比較的容量の大きい画像及び動画のデータをサーバに格納し、必要に応じて取得することで、放送受信装置における記憶容量の増大を抑制できる。
【００２４】
（１０）好ましくは、上記番組情報提示部は、上記候補番組決定部によって決定された上記候補番組におけるあるタイミングの画像を、上記候補番組情報として上記表示部に表示する。
【００２５】
このような構成により、ユーザは、候補番組におけるあるタイミングの画像を、候補番組として認識できるため、候補番組の内容をビジュアル的に、容易に理解できる。
【００２６】
（１１）好ましくは、上記番組情報提示部は、上記候補番組が放送されるチャンネルへの切り替えを受け付けるための、上記候補番組情報を含むアイコンを前記表示部に表示する。
【００２７】
このような構成により、ユーザは、表示部に表示されるアイコンを選択するだけで、所望のチャンネルを容易に選択できる。
【００２８】
（１２）より好ましくは、上記表示部に表示される上記アイコンには、上記放送受信装置のユーザインタフェースにおけるチャンネルボタンに付された番号に対応する番号が付され、上記表示制御部は、上記チャンネルボタンが押されると、上記チャンネルボタンの番号に対応する番号が付された上記アイコンに対応するチャンネルで放送されている放送番組を上記表示部に表示する。
【００２９】
このような構成により、ユーザが、アイコンに付された番号に対応する番号が付されたチャンネルボタンを押すだけで、所望のチャンネルを容易に選択できる。
【００３０】
（１３）この発明のある局面に係わる番組情報表示方法は、視聴中の放送番組の裏番組、及び上記視聴中の放送番組の終了後に放送される放送番組の少なくとも一方を含む対象番組の中から候補番組を決定するステップと、決定した上記候補番組に関する情報である候補番組情報を、上記視聴中の放送番組とともに表示部に表示するステップと、上記候補番組情報を上記表示部に表示すべき表示タイミングを決定するステップと、上記候補番組情報が表示された後のユーザの選局操作を受け付けるステップと、受け付けた上記選局操作に従う放送番組を上記表示部に表示するステップとを含む。
【００３１】
これにより、候補番組情報が自動的に表示部に表示されるため、ユーザが所望の放送番組を見逃してしまうことを防止できる。
【００３２】
（１４）この発明のある局面に係わる番組情報表示プログラムは、放送受信装置において用いられる番組情報表示プログラムであって、コンピュータに、視聴中の放送番組の裏番組、及び上記視聴中の放送番組の終了後に放送される放送番組の少なくとも一方を含む対象番組の中から候補番組を決定するステップと、決定した前記候補番組に関する情報である候補番組情報を、上記視聴中の放送番組とともに表示部に表示するステップと、上記候補番組情報を上記表示部に表示すべき表示タイミングを決定するステップと、上記候補番組情報が表示された後のユーザの選局操作を受け付けるステップと、受け付けた上記選局操作に従う放送番組を上記表示部に表示するステップとを実行させるためのプログラムである。
【００３３】
このような構成により、候補番組情報が自動的に表示部に表示されるため、ユーザが所望の放送番組を見逃してしまうことを防止できる。
【発明の効果】
【００３４】
本発明によれば、ユーザが所望の放送番組を見逃してしまうことを防止できる。
【図面の簡単な説明】
【００３５】
【図１】本発明の実施の形態に係る放送受信装置の構成を示す図である。
【図２】本発明の実施の形態に係る放送受信装置で受信された放送番組を表示するディスプレイの正面図であって、表示部全体に亘って放送番組が表示されている状態を示す図である。
【図３】本発明の実施の形態に係る放送受信装置のリモートコントローラの一部分を示す正面図である。
【図４】本発明の実施の形態に係る放送受信装置で受信された放送番組を表示するディスプレイの正面図であって、視聴中の放送番組とともに他の番組の情報が表示されている状態を示す図である。
【図５】本発明の実施の形態に係る放送受信装置において、放送番組終了後における画面の切り替わりを説明するためのフローチャートである。
【図６】本発明の実施の形態に係る放送受信装置において、コマーシャル終了後における画面の切り替わりを説明するためのフローチャートである。
【図７】本発明の実施の形態に係る放送受信装置において、特定の放送番組開始前における画面の切り替わりを説明するためのフローチャートである。
【発明を実施するための形態】
【００３６】
以下、本発明の実施の形態について図面を用いて説明する。なお、図中同一または相当部分には同一符号を付してその説明は繰り返さない。
【００３７】
＜第１の実施の形態＞
［構成および基本動作］
図１は、本発明の第１の実施の形態に係る放送受信装置１の構成を示す図であり、図２は、放送受信装置１で受信された放送番組を表示するディスプレイ８の正面図であって、表示部８ａ全体に亘って放送番組が表示されている状態を示す図である。なお、以下において、図２のように、放送番組が表示部８ａ全体に亘って表示されている状態の画面を、通常画面と称する。
【００３８】
図１を参照して、放送受信装置１は、受信部２と、解析部３と、表示制御部４と、決定部５と、情報管理部６と、リモートコントローラ７とを備える。
【００３９】
放送受信装置１は、例えば、ＳＴＢ（Set Top Box）であり、局側装置としてのサーバ９からストリームを受信し、当該ストリームから映像および音声をデコードし、ディスプレイ８において放送番組を再生する。また、放送受信装置１は、サーバ９に格納される各種の情報をダウンロードする。なお、放送受信装置１は、ディスプレイ８を備える構成であってもよい。
【００４０】
受信部２は、受信したストリームからＰＳＩ（Program Specific Information）、ＳＩ（Service Information）、映像データ及び音声データ等を抽出して解析部３へ出力する。
【００４１】
ＳＩには、ＡＲＩＢ（Association of Radio Industries and Businesses）により規定されたＥＩＴ（Event Information Table）が含まれる。ＥＩＴには、番組名、放送日時、及びジャンル等の情報が含まれる。
【００４２】
解析部３は、受信部２から受けたＰＳＩを参照し、受信しているストリームに含まれる、放送番組の再生に必要な映像データおよび音声データをデコードし、表示制御部４へ出力する。
【００４３】
また、解析部３は、受信部２から受けたＰＳＩ及びＳＩを参照し、各種データ、例えば、音声データ、ＥＩＴ、及びＴＯＴ（Time Offset Table）等を決定部５へ出力する。なお、ＴＯＴとは、現在の時刻等に関する情報である。
【００４４】
表示制御部４は、解析部３から受けた受信中の放送番組の映像データおよび音声データをディスプレイ８において再生する。
【００４５】
また、表示制御部４は、受付部４ａと、情報提示開始部４ｂ（番組情報提示部）と、情報提示終了部４ｃとを含む。受付部４ａは、ユーザがリモートコントローラ７によって選局したチャンネルへの変更又は当該チャンネルの維持を受け付ける。受付部４ａで受け付けられたチャンネルで放送されている放送番組は、図２に示すように、ディスプレイ８の表示部８ａ全体に亘って、通常画面として表示される。
【００４６】
情報提示開始部４ｂは、所定の放送番組に関する情報を、所定のタイミングで、自動的に表示する。また、情報提示終了部４ｃは、上記情報提示開始部４ｂによって提示された放送番組に関する情報の表示を終了する。
【００４７】
決定部５は、タイミング決定部５ａ、及び候補番組決定部５ｂを含む。候補番組決定部５ｂは、所定の放送番組を候補番組として決定する。タイミング決定部５ａは、候補番組決定部５ｂによって決定された候補番組をディスプレイ８に表示する表示タイミングを決定する。
【００４８】
情報管理部６は、放送番組に関する各種データ等を蓄積し、また、これらのデータを処理する。情報管理部６は、履歴データ蓄積部６ａと、履歴データ処理部６ｂと、設定データ蓄積部６ｃとを含む。
【００４９】
履歴データ蓄積部６ａは、直近の所定期間、例えば直近の一年間にユーザが視聴した放送番組の情報である番組情報を蓄積する。これらの番組情報には、番組名及びその番組の属性、例えば、ジャンル等が含まれる。
【００５０】
履歴データ処理部６ｂは、候補番組決定部５ｂから要求を受けて、履歴データ蓄積部６ａに蓄積されている番組情報のうちのジャンル毎の放送番組の本数をカウントし、ジャンル毎の放送番組の合計数を算出する。例えば、ユーザが、直近の一年間に、ジャンルが映画である放送番組を１０本視聴し、ジャンルがドラマである放送番組を８本視聴していた場合、情報管理部６は、ジャンルが映画の放送番組の数をカウントしてその合計数を１０と算出し、ジャンルがドラマの放送番組の数をカウントしてその合計数を８と算出する。
【００５１】
また、ユーザは、リモートコントローラ７を適宜操作することにより、お気に入りの放送番組をユーザ設定番組として登録できる。設定データ蓄積部６ｃは、このように登録されたユーザ設定番組の番組名データを蓄積する。
【００５２】
図３は、リモートコントローラ７の一部分を示す正面図である。リモートコントローラ７は、ユーザが放送受信装置１を操作するためのユーザインタフェースを構成している。
【００５３】
図３を参照して、リモートコントローラ７には、電源ボタン７ａ、及びチャンネルを選択するためなどに用いられる１２個のチャンネルボタン７ｂ等が設けられている。電源ボタン７ａは、放送受信装置１の電源のオンオフを切り替えるためのものである。チャンネルボタン７ｂは、ディスプレイ８に表示される放送番組のチャンネルを切り替えるためのものである。
【００５４】
なお、本発明の第１の実施の形態では、ユーザインタフェースをリモートコントローラ７で構成しているが、これに限らず、例えば放送受信装置１の筐体にユーザインタフェースを配置してもよい。
【００５５】
再び図１を参照して、サーバ９は、ＩＰＴＶ（Internet Protocol Television）に対応する局側装置である。サーバ９には、放送番組の画像データ及び音声データが格納されている。そして、サーバ９は、複数の放送受信装置１に対してストリームを同時に配信する。
【００５６】
また、サーバ９には、放送受信装置１のアクセス数が多い放送番組、例えば、アクセス数が上位１０本の放送番組を人気放送番組として、その番組名データが格納されている。
【００５７】
［候補番組決定部］
候補番組決定部５ｂは、候補番組を、視聴者が好むジャンルの放送番組の中から決定したり、人気放送番組の中から決定したり、視聴者が好む特定の放送番組から決定したりする。
【００５８】
候補番組決定部５ｂは、視聴者が好むジャンルの放送番組の中から候補番組を決定する場合、以下の放送番組を対象番組とする。具体的には、（１）視聴中の放送番組の終了後、次に自チャンネルで放送される番組、（２）視聴中の放送番組の終了後、次に他チャンネルで放送される番組、（３）視聴中の放送番組の終了後に他チャンネルで放送されている放送番組、（４）視聴中の放送番組におけるコマーシャル開始後且つコマーシャルの終了前に、他チャンネルで放送されている放送番組、を対象番組とする。そして、これらの対象番組の中から視聴者が好むジャンルに該当する放送番組を候補番組として決定する。
【００５９】
具体的には、候補番組決定部５ｂは、視聴中の放送番組の終了直後、又は視聴中の放送番組におけるコマーシャル開始直後、情報管理部６へ以下の要求を行う。すなわち、候補番組決定部５ｂは、情報管理部６に蓄積されている番組情報のうちのジャンル毎の放送番組の本数をカウントし、ジャンル毎の放送番組の合計数を算出するよう、情報管理部６に要求する。情報管理部６は、この要求を受けて算出を行い、算出した合計数が多いジャンルのジャンル名、例えば合計数が上位３つのジャンルのジャンル名を候補番組決定部５ｂへ通知する。候補番組決定部５ｂは、上記対象番組のジャンル名が、情報管理部６から通知されたジャンル名と一致するか否かを判定する。候補番組決定部５ｂは、ジャンル名が一致した場合、その対象番組を候補番組として決定する。
【００６０】
また、候補番組決定部５ｂは、人気放送番組の中から候補番組を決定する場合、上述の場合と同様、以下の放送番組を対象番組とする。具体的には、（１）視聴中の放送番組の終了後、次に自チャンネルで放送される番組、（２）視聴中の放送番組の終了後、次に他チャンネルで放送される番組、（３）視聴中の放送番組の終了後に他チャンネルで放送されている放送番組、（４）視聴中の放送番組におけるコマーシャル開始後且つコマーシャルの終了前に、他チャンネルで放送されている放送番組、を対象番組とする。そして、これらの対象番組の中から人気放送番組を候補番組として決定する。
【００６１】
具体的には、候補番組決定部５ｂは、視聴中の放送番組の終了直後、又は視聴中の放送番組におけるコマーシャル開始直後、サーバ９に格納されている人気放送番組の番組名データをダウンロードする。そして、上記対象番組の番組名が、上記人気放送番組の番組名と一致するか否かを判定する。候補番組決定部５ｂは、番組名が一致した場合、その対象番組を候補番組として決定する。
【００６２】
また、候補番組決定部５ｂは、放送番組のうち特定のものを、特定の候補番組とする。特定の候補番組には、例えば、情報管理部６に蓄積されているユーザ設定番組の番組名データと一致する番組名の放送番組、及び、情報管理部６に蓄積されている直近の所定期間（例えば、直近の一週間）にユーザが視聴した放送番組の番組名データと一致する番組名の放送番組が含まれる。
【００６３】
候補番組決定部５ｂは、上述のように候補番組を決定すると、候補番組に関する情報である候補番組情報を、情報提示開始部４ｂへ出力する。例えば、候補番組決定部５ｂは、候補番組の番組名、及び候補番組が放送されるチャンネルのチャンネル名を、候補番組情報として情報提示開始部４ｂへ通知する。
【００６４】
［タイミング決定部］
タイミング決定部５ａは、候補番組情報が表示部８ａに表示されるタイミング（表示タイミング）と、候補番組情報の表示を終了するタイミング（表示終了タイミング）を決定する。
【００６５】
−表示タイミングの決定について−
タイミング決定部５ａは、以下のように表示タイミングを決定する。具体的には、（１）視聴中の放送番組の終了後且つ自チャンネルの次の放送番組の開始前のタイミング、（２）視聴中の放送番組におけるコマーシャル開始後且つ終了前のタイミング、（３）上記特定の放送番組が開始する所定時間前のタイミング、を表示タイミングとして決定する。
【００６６】
タイミング決定部５ａは、視聴中の放送番組の終了後且つ自チャンネルの次の放送番組の開始前のタイミングを表示タイミングとして決定する場合、ＥＩＴに含まれる、現在視聴中の放送番組の終了時刻に関する情報と、ＴＯＴとを比較する。そして、タイミング決定部５ａは、視聴中の放送番組の終了時刻に達したタイミングを表示タイミングとして決定する。
【００６７】
なお、表示タイミングは、視聴中の放送番組の終了時刻に達したタイミングに限らず、該放送番組の終了時刻から所定時間経過後、例えば５秒後のタイミングであってもよい。
【００６８】
タイミング決定部５ａは、視聴中の放送番組におけるコマーシャル開始後且つ終了前のタイミングを表示タイミングとして決定する場合、放送番組においてコマーシャルが開始するタイミングを解析し、そのタイミングを表示タイミングとして決定する。具体的には、タイミング決定部５ａは、例えば、放送番組がモノラル放送であり且つコマーシャルがステレオ放送である場合、モノラル放送からステレオ放送へ切り替わるタイミングを表示タイミングとして決定する。
【００６９】
なお、表示タイミングは、モノラル放送からステレオ放送へ切り替わるタイミング、すなわち、コマーシャルが開始したタイミングに限らず、コマーシャル中であればどのタイミングであってもよい。例えば、表示タイミングは、コマーシャルが開始したと判断されたタイミングから所定時間経過後、例えば５秒後のタイミングであってもよい。また、コマーシャルが開始されたタイミングの解析手法は、上述のような手法に限らず、別の手法であってもよい。
【００７０】
タイミング決定部５ａは、特定の放送番組が開始する所定時間前のタイミングを表示タイミングとして決定する場合、解析部３から受けたＥＩＴ情報に含まれる、特定の放送番組の開始時刻と、ＴＯＴとを比較する。そして、タイミング決定部５ａは、特定の放送番組の開始時刻より所定時間前のタイミングを、表示タイミングとして決定する。
【００７１】
タイミング決定部５ａは、上述のように表示タイミングを決定する。タイミング決定部５ａは、表示タイミングが到来すると、表示信号を情報提示開始部４ｂへ出力する。
【００７２】
−表示終了タイミングの決定について−
タイミング決定部５ａは、以下のように表示終了タイミングを決定する。具体的には、タイミング決定部５ａは、（１）視聴中の放送番組の終了後且つ自チャンネルの次の放送番組の開始前のタイミングを表示タイミングとして決定していた場合、次の放送番組の開始後のタイミング、（２）視聴中の放送番組におけるコマーシャル開始後且つ終了前のタイミングを表示タイミングとして決定していた場合、コマーシャル終了後のタイミング、（３）特定の放送番組が開始する所定時間前のタイミングを表示タイミングとして決定していた場合、特定の放送番組が開始してから所定時間経過後のタイミング、を表示終了タイミングとして決定する。
【００７３】
タイミング決定部５ａは、視聴中の放送番組の次の放送番組の開始後のタイミングを表示終了タイミングとして決定する場合、解析部３から受けたＥＩＴ情報に含まれる、次の放送番組の開始時刻に関する情報と、ＴＯＴとを比較する。そして、タイミング決定部５ａは、次の放送番組の開始時刻に達したタイミングを、表示終了タイミングとして決定する。
【００７４】
なお、表示終了タイミングは、上記次の放送番組の開始時刻に達したタイミングに限らず、上記開始時刻から所定時間経過後のタイミングであってもよい。
【００７５】
タイミング決定部５ａは、コマーシャル終了後のタイミングを表示終了タイミングとして決定する場合、コマーシャルが終わって放送番組が再開されるタイミングを解析し、そのタイミングを表示終了タイミングとして決定する。具体的には、タイミング決定部５ａは、例えば、コマーシャルがステレオ放送であり且つ放送番組がモノラル放送である場合、ステレオ放送からモノラル放送へ切り替わるタイミングを表示終了タイミングとして決定する。
【００７６】
なお、表示終了タイミングは、ステレオ放送からモノラル放送へ切り替わるタイミングに限らず、ステレオ放送からモノラル放送へ切り替わってから所定時間経過後のタイミングであってもよい。
【００７７】
タイミング決定部５ａは、特定の放送番組の開始後所定時間経過後のタイミングを表示終了タイミングとして決定する場合、上記特定の放送番組に関する候補番組情報が表示されてから所定時間経過後のタイミングを表示終了タイミングとして決定する。
【００７８】
タイミング決定部５ａは、上述のように表示終了タイミングを決定する。タイミング決定部５ａは、表示終了タイミングが到来すると、終了信号を情報提示終了部４ｃへ出力する。
【００７９】
［情報提示開始部及び情報提示終了部］
図４は、ディスプレイの正面図であって、視聴中の放送番組とともに、候補番組決定部で決定された放送番組の情報が表示されている状態を示す図である。
【００８０】
情報提示開始部４ｂは、タイミング決定部５ａから表示信号を受けると、図４に示すように、表示部８ａに、第１アイコン１１と、１又は複数の第２アイコン１２とが表示されるアイコン画面を表示する。第１アイコン及び第２アイコンは、それぞれ、外形がやや横長の略長方形状である。また、第１アイコン１２は、ここでは１１個である。なお、以下において、図４のように、第１アイコン１１及び第２アイコン１２が表示部８ａに表示されている状態の画面を、アイコン画面と称する。
【００８１】
第１アイコン１１には、図４に示すように、視聴中の放送番組と、数字の１とが含まれる。視聴中の放送番組は、第１アイコン１１全体に亘って表示され、数字の１は、第１アイコン１１の右上の部分に位置している。
【００８２】
また、各第２アイコン１２には、図４に示すように、候補番組の番組名と、数字の２から１２のそれぞれと、候補番組が放送されるチャンネルのチャンネル名とが含まれる。候補番組の番組名は、第２アイコンの中央部分に位置し、数字の２から１２のそれぞれは、第２アイコンの右上の部分に位置し、チャンネル名は、第２アイコンの下側の部分に位置している。
【００８３】
第１アイコン１１及び第２アイコン１２は、各アイコン１１，１２に含まれる番組名の候補番組が放送されるチャンネルへの切り替えを受け付けるためのものである。
【００８４】
例えば、図４に示すアイコン画面において、ユーザが、リモートコントローラ７のチャンネルボタン７ｂのうち、数字の１が付されたチャンネルボタン７ｂを押すと、チャンネルは変更されずに維持される。一方、ユーザが、数字の２が付されたチャンネルボタン７ｂを押すと、チャンネルは、ニュースセブンが放送されるＣＨ−Ａに変更される。
【００８５】
情報提示終了部４ｃは、タイミング決定部５ａから終了信号を受けると、候補番組情報の表示を終了する。具体的には、情報提示終了部４ｃは、表示部８ａに表示されているアイコン画面を、視聴中の放送番組が表示される通常画面（図２参照）へ切り替える。
【００８６】
［動作］
次に、本発明の第１の実施の形態に係る放送受信装置１の動作について図面を用いて説明する。放送受信装置１は、以下に示すフローチャート及びシーケンスの各ステップを含むプログラムを図示しないメモリから読み出して実行する。このプログラムは、外部からインストールすることができる。
【００８７】
図５から図７は、それぞれ、本発明の第１の実施の形態の係る放送受信装置１において、通常画面（図２参照）とアイコン画面（図４参照）との切り替わりの動作を説明するためのフローチャートである。
【００８８】
−視聴中の放送番組終了時における画面の切り替わり−
図５を参照して、視聴中の放送番組終了時における画面の切り替わりについて説明する。図５に示すフローの動作は、放送受信装置１が放送番組を受信し該放送番組を表示部８ａに表示しているときに実行されうる。
【００８９】
まず、本発明の第１の実施の形態に係る放送受信装置１が、ディスプレイ８の表示を通常画面からアイコン画面へ切り替えるためには、番組情報提示モードがオンになっている必要がある。番組情報提示モードとは、候補番組情報をディスプレイ８に表示可能なモード、すなわち、通常画面とアイコン画面との切り替えを実行可能なモードである。番組情報提示モードは、ユーザがリモートコントローラ７等のユーザインタフェースを適宜操作することにより、オン状態又はオフ状態に設定される。
【００９０】
放送受信装置１は、番組情報提示モードがオン状態かオフ状態かを判断する（ステップＳ１）。放送受信装置１は、番組情報提示モードがオフ状態の場合（ステップＳ１でＮＯ）、通常画面とアイコン画面との切り替えを行わない。すなわち、決定部５において表示タイミング及び候補番組の決定は行われず、ディスプレイ８には、候補番組情報が表示されない。
【００９１】
一方、放送受信装置１は、番組情報提示モードがオン状態の場合（ステップＳ１でＹＥＳ）、通常画面とアイコン画面との切り替えを実行可能な状態である。この場合、次に、タイミング決定部５ａは、ユーザが視聴中の放送番組が終了したか否かを判断する（ステップＳ２）。
【００９２】
タイミング決定部５ａは、視聴中の放送番組が終了していないと判断した場合（ステップＳ２でＮＯ）、所定時間経過後、放送番組が終了したか否かを再び判断する（ステップＳ２）。
【００９３】
タイミング決定部５ａは、放送番組が終了したと判断した場合（ステップＳ２でＹＥＳ）、表示タイミングを決定し、そして、候補番組決定部５ｂは、候補番組を決定する（ステップＳ３）。
【００９４】
次に、タイミング決定部５ａは、表示信号を情報提示開始部４ｂへ出力し、候補番組決定部５ｂは、候補番組情報を情報提示開始部４ｂへ出力する。表示信号を受けた情報提示開始部４ｂは、候補番組情報をディスプレイ８に表示させる。すなわち、ディスプレイ８の表示部８ａが、通常画面からアイコン画面へ切り替わる（ステップＳ４）。
【００９５】
次に、情報提示開始部４ｂは、受付部４ａによってユーザの選局操作が受け付けられた場合、すなわち、ユーザがアイコン画面のアイコン１２に表示される候補番組情報を確認して、所望の放送番組に対応するチャンネルボタン７ｂを押した場合（ステップＳ５でＹＥＳ）、表示部８ａを、アイコン画面から、ユーザに選局されたチャンネルの放送番組が表示される通常画面に切り替える（ステップＳ７）。そして、タイミング決定部５ａは、選局後の放送番組が終了したか否かを再び判断する（ステップＳ２）。
【００９６】
一方、タイミング決定部５ａは、ユーザの選局操作が行われない場合（ステップＳ５でＮＯ）、次の放送番組が開始したか否かを判断する（ステップＳ６）。次の放送番組が開始していない場合（ステップＳ６でＮＯ）、所定時間経過後、ユーザの選局操作が行われたか否かが再び判断される（ステップＳ５）。
【００９７】
タイミング決定部５ａは、次の放送番組が開始したと判断した場合（ステップＳ６でＹＥＳ）、終了信号を情報提示終了部４ｃへ出力する。情報提示終了部４ｃは、終了信号を受けて、候補番組情報の表示部８ａへの表示を終了する。すなわち、表示部８ａが、アイコン画面から、ユーザが視聴中の放送番組が表示される通常画面に切り替わる（ステップＳ７）。そして、放送番組が終了したか否かが再び判断される（ステップＳ２）。
【００９８】
なお、ステップＳ２からステップＳ７の動作中に、ユーザによって番組情報提示モードがオフ状態にされると、図５に示すステップの動作は中止され、ディスプレイ８は、視聴中の放送番組が表示される通常画面を表示する。
【００９９】
−コマーシャル開始時における画面の切り替わり−
図６を参照して、コマーシャル開始時における画面の切り替わりについて説明する。図６に示すフローの動作は、放送受信装置１が放送番組を受信し該放送番組を表示部８ａに表示しているときに実行されうる。
【０１００】
放送受信装置１は、番組情報提示モードがオン状態かオフ状態かを判断する（ステップＳ１１）。放送受信装置１は、番組情報提示モードがオフ状態の場合（ステップＳ１１でＮＯ）、通常画面とアイコン画面との切り替えを行わない。
【０１０１】
一方、放送受信装置１は、番組情報提示モードがオン状態の場合（ステップＳ１１でＹＥＳ）、通常画面とアイコン画面との切り替えを実行可能な状態である。この場合、次に、タイミング決定部５ａは、ユーザが視聴中の放送番組においてコマーシャルが開始したか否かを判断する（ステップＳ１２）。
【０１０２】
タイミング決定部５ａは、コマーシャルが開始していないと判断した場合（ステップＳ１２でＮＯ）、所定時間経過後、コマーシャルが開始したか否かを再び判断する（ステップＳ２）。
【０１０３】
タイミング決定部５ａは、コマーシャルが開始したと判断した場合（ステップＳ１２でＹＥＳ）、表示タイミングを決定し、そして、候補番組決定部５ｂは、候補番組を決定する（ステップＳ１３）。
【０１０４】
次に、タイミング決定部５ａは、表示信号を情報提示開始部４ｂへ出力し、候補番組決定部５ｂは、候補番組情報を情報提示開始部４ｂへ出力する。表示信号を受けた情報提示開始部４ｂは、候補番組情報をディスプレイ８に表示させる。すなわち、ディスプレイ８の表示部８ａが、通常画面からアイコン画面へ切り替わる（ステップＳ１４）。
【０１０５】
次に、情報提示開始部４ｂは、ユーザがアイコン画面のアイコン１２に表示される候補番組情報を確認して所望の放送番組に対応するチャンネルボタン７ｂを押した場合（ステップＳ１５でＹＥＳ）、表示部８ａを、アイコン画面から、ユーザに選局されたチャンネルの放送番組が表示される通常画面に切り替える（ステップＳ１７）。そして、タイミング決定部５ａは、コマーシャルが開始したか否かを再び判断する（ステップＳ１２）。
【０１０６】
一方、タイミング決定部５ａは、ユーザの選局操作が行われない場合（ステップＳ１５でＮＯ）、コマーシャルが終了したか否かを判断する（ステップＳ１６）。コマーシャルが終了していない場合（ステップＳ１６でＮＯ）、所定時間経過後、ユーザの選局操作が行われたか否かが再び判断される（ステップＳ１５）。
【０１０７】
タイミング決定部５ａは、コマーシャルが終了したと判断した場合（ステップＳ１６でＹＥＳ）、終了信号を情報提示終了部４ｃへ出力する。情報提示終了部４ｃは、終了信号を受けて、候補番組情報の表示部８ａへの表示を終了する。すなわち、表示部８ａが、アイコン画面から、ユーザが視聴中の放送番組が表示される通常画面に切り替わる（ステップＳ１７）。そして、コマーシャルが開始したか否かが再び判断される（ステップＳ１２）。
【０１０８】
なお、ステップＳ１２からステップＳ１７の動作中に、ユーザによって番組情報提示モードがオフ状態にされると、図６に示すステップの動作は中止され、ディスプレイ８は、視聴中の放送番組が表示される通常画面を表示する。
【０１０９】
−特定の放送番組の開始時における画面の切り替わり−
図７を参照して、特定の放送番組の開始時における画面の切り替わりについて説明する。図７に示すフローの動作は、放送受信装置１が放送番組を受信し該放送番組を表示部８ａに表示しているときに実行されうる。
【０１１０】
放送受信装置１は、番組情報提示モードがオン状態かオフ状態かを判断する（ステップＳ２１）。放送受信装置１は、番組情報提示モードがオフ状態の場合（ステップＳ２１でＮＯ）、通常画面とアイコン画面との切り替えを行わない。
【０１１１】
一方、放送受信装置１は、番組情報提示モードがオン状態の場合（ステップＳ２１でＹＥＳ）、通常画面とアイコン画面との切り替えを実行可能な状態である。この場合、次に、タイミング決定部５ａは、特定の放送番組の表示タイミングを決定し、その表示タイミングが到来したか否かを判断する（ステップＳ２２）。
【０１１２】
タイミング決定部５ａは、表示タイミングの到来前であれば（ステップＳ２２でＮＯ）、所定時間経過後、表示タイミングが到来したか否かを判断する（ステップＳ２２）。
【０１１３】
タイミング決定部５ａは、表示タイミングが到来したと判断した場合（ステップＳ２２でＹＥＳ）、表示信号を情報提示開始部４ｂへ出力し、候補番組決定部５ｂは、候補番組情報を情報提示開始部４ｂへ出力する。表示信号を受けた情報提示開始部４ｂは、候補番組情報をディスプレイ８に表示させる。すなわち、ディスプレイ８の表示部８ａが、通常画面からアイコン画面へ切り替わる（ステップＳ２３）。
【０１１４】
次に、情報提示開始部４ｂは、ユーザがアイコン画面のアイコン１２に表示される候補番組情報を確認して所望の放送番組に対応するチャンネルボタン７ｂを押した場合（ステップＳ２４でＹＥＳ）、表示部８ａを、アイコン画面から、ユーザに選局されたチャンネルの放送番組が表示される通常画面に切り替える（ステップＳ２６）。そして、タイミング決定部５ａは、特定の放送番組の表示タイミングが到来したか否かを再び判断する（ステップＳ２２）。
【０１１５】
一方、タイミング決定部５ａは、ユーザの選局操作が行われない場合（ステップＳ２４でＮＯ）、表示部８ａがアイコン画面に切り替わってから所定時間が経過したか否かを判断する（ステップＳ２５）。所定時間が経過していない場合（ステップＳ２５でＮＯ）、しばらく時間が経った後、ユーザの選局操作が行われたか否かが再び判断される（ステップＳ２４）。
【０１１６】
タイミング決定部５ａは、所定時間が経過したと判断した場合（ステップＳ２５でＹＥＳ）、終了信号を情報提示終了部４ｃへ出力する。情報提示終了部４ｃは、終了信号を受けて、候補番組情報の表示部８ａへの表示を終了する。すなわち、表示部８ａが、アイコン画面から、ユーザが視聴中の放送番組が表示される通常画面に切り替わる（ステップＳ２６）。そして、特定の放送番組の表示タイミングが到来したか否かが再び判断される（ステップＳ２２）。
【０１１７】
なお、ステップＳ２２からステップＳ２６の動作中に、ユーザによって番組情報提示モードがオフ状態にされると、図７に示すステップの動作は中止され、ディスプレイ８は、視聴中の放送番組が表示される通常画面を表示する。
【０１１８】
ところで、例えば、単に放送番組表を画面に表示させる構成では、ユーザが番組表を閲覧するには、ユーザがリモートコントローラの番組表ボタンを押すなどして番組表を表示させる必要がある。すなわち、ユーザが番組表ボタンを押すことなく、ある番組を見続けた場合、本来ユーザが視聴を望んでいた放送番組が始まってしまっているか、又は終了してしまっていることがある。
【０１１９】
これに対して、本発明の第１の実施の形態に係る放送受信装置１では、視聴中の放送番組の裏番組等の中から候補番組決定部５ｂによって決定された候補番組に関する情報が、タイミング決定部５ａによって決定された表示タイミングで表示部８ａに表示される。ユーザは、この情報に基づいて選局操作を行う。
【０１２０】
そして、上記ユーザによる選局操作は受付部４ａによって受け付けられ、受け付けられた選局操作に従う放送番組が、表示制御部４によって表示部８ａに表示される。
【０１２１】
このような構成により、タイミング決定部５ａが表示タイミングを決定し、候補番組情報がその表示タイミングで自動的に表示部８ａに表示されるため、ユーザが所望の放送番組を見逃してしまうことを防止できる。
【０１２２】
また、本発明の第１の実施の形態に係る放送受信装置１では、上記タイミング決定部５ａは、上記視聴中の放送番組の終了後のタイミングを表示タイミングとして決定する。
【０１２３】
このような構成により、ユーザが放送番組を見終わった後という適切なタイミングで、候補番組情報をユーザに提示することができる。また、ユーザが視聴中の放送番組の画面中に、別の情報が割り込んできてしまうことを防止できる。
【０１２４】
また、本発明の第１の実施の形態に係る放送受信装置１では、上記タイミング決定部５ａは、上記視聴中の放送番組においてコマーシャルが放送されるタイミングを表示タイミングとして決定する。
【０１２５】
このような構成により、コマーシャル中という適切なタイミングで、候補番組情報をユーザに提示することができる。また、ユーザが視聴中の放送番組の画面中に、別の情報が割り込んできてしまうことを防止できる。
【０１２６】
また、本発明の第１の実施の形態に係る放送受信装置１では、上記候補番組決定部５ｂは、特定の放送番組を上記候補番組として決定し、上記タイミング決定部５ａは、上記特定の放送番組の開始前のタイミングを表示タイミングとして決定する。
【０１２７】
このような構成により、ユーザが、特定の放送番組、例えばユーザによって予め設定された放送番組を見逃してしまうリスクを回避できる。
【０１２８】
また、本発明の第１の実施の形態に係る放送受信装置１では、ユーザが過去に視聴した放送番組のジャンルに基づいて上記候補番組を決定する。
【０１２９】
このような構成により、ユーザは、自分の好みに合った放送番組に関する情報を得ることができる。
【０１３０】
また、本発明の第１の実施の形態に係る放送受信装置１では、上記候補番組決定部５ｂは、上記放送受信装置１がアクセス可能なサーバに格納される上記対象番組に関する情報である対象番組情報に基づいて、上記候補番組を決定する。
【０１３１】
このように、対象番組に関する対象番組情報をサーバから取得可能とし、この対象番組情報に基づいて候補番組を決定することで、候補番組の決定に用いることができる情報の選択肢を広げることができる。
【０１３２】
また、本発明の第１の実施の形態に係る放送受信装置１では、上記候補番組決定部５ｂは、上記対象番組情報に含まれる、上記対象番組の視聴度合を示す視聴データ、例えば、サーバ９に格納された放送番組のうちアクセス数が上位の人気放送番組の番組名データに基づいて、上記候補番組を決定する。
【０１３３】
このような構成により、ユーザは、人気の放送番組に関する情報を、候補番組情報として得ることができる。
【０１３４】
また、本発明の第１の実施の形態に係る放送受信装置１では、上記情報提示開始部４ｂは、チャンネル名及び番組名を、上記候補番組情報として上記表示部８ａに表示する。
【０１３５】
このような構成により、ユーザは、チャンネル名及び番組名という適切な情報を、候補番組情報として認識できる。
【０１３６】
また、本発明の第１の実施の形態に係る放送受信装置１では、上記情報提示開始部４ｂは、上記候補番組に対応し上記候補番組が放送されるチャンネルへの切り替えを受け付ける、上記候補番組情報が表示されるアイコン１１，１２を上記表示部８ａに表示する。
【０１３７】
このような構成により、ユーザは、例えばリモートコントローラ７を操作し、表示部８ａに表示されるアイコン１１，１２を選択するだけで、所望のチャンネルを容易に選択できる。
【０１３８】
また、本発明の第１の実施の形態に係る放送受信装置１では、上記表示部８ａに表示される上記アイコン１１，１２には、上記放送受信装置１のリモートコントローラ７におけるチャンネルボタン７ｂ，７ｂ，…に付された番号に対応する番号が付され、上記表示制御部４は、上記チャンネルボタン７ｂが押されると、上記チャンネルボタン７ｂの番号に対応する番号が付されたアイコン１１，１２に対応するチャンネルで放送されている放送番組を上記表示部８ａに表示する。
【０１３９】
このような構成により、ユーザが、アイコン１１，１２に付された番号に対応する番号が付されたチャンネルボタン７ｂを押すだけで、所望のチャンネルを容易に選択できる。
【０１４０】
なお、本実施の第１の形態に係る放送受信装置１では、アイコン１１，１２に、チャンネルボタン７ｂに対応する番号を付しているが、この限りでなく、チャンネルボタン７ｂに対応する番号が省略されていてもよい。
【０１４１】
この場合、ユーザは、リモートコントローラ７を適宜操作し、アイコン１１，１２を選択するだけで、所望のチャンネルを容易に選択できる。
【０１４２】
＜第２の実施の形態＞
本発明の第２の実施の形態は、第１の実施の形態に係る放送受信装置と比べて、アイコン画面におけるアイコンに表示される候補番組情報の内容が異なる。以下で説明する内容以外は第１の実施の形態に係る放送受信装置と同様である。
【０１４３】
第２の実施の形態に係る放送受信装置１では、第２アイコン１２に、候補番組の宣伝用の動画である番宣用動画が表示される。
【０１４４】
具体的には、第２の実施の形態では、サーバ９に、上記番宣用動画が格納されている。この番宣用動画は、各放送番組に応じて予め作成されたものであり、例えば放送番組の内容を短時間でまとめたダイジェストである。
【０１４５】
第２の実施の形態に係る放送受信装置１は、サーバ９に格納された番宣用動画をダウンロードし、このダウンロードした番宣用動画を、第２アイコン１２に表示する。
【０１４６】
このような構成により、ユーザは、放送番組の内容が要約された番宣用動画を見ることにより、番組の内容をビジュアル的に、容易に理解できる。
【０１４７】
しかも、比較的容量の大きい番宣用動画をサーバに格納し、必要に応じて取得することで、放送受信装置１における記憶容量の増大を抑制できる。
【０１４８】
なお、本発明の第２の実施の形態では、番組宣伝用のデータとして動画を用いているが、この限りでなく、例えば番組宣伝用の画像である番宣用画像を用いてもよい。この番宣用画像のデータも、番宣用動画と同様にサーバ９に格納することで、放送受信装置１における記憶容量の増大を抑制できる。
【０１４９】
＜第３の実施の形態＞
本発明の第３の実施の形態は、第１及び第２の実施の形態に係る放送受信装置と比べて、アイコン画面におけるアイコンに表示される候補番組情報の内容が異なる。以下で説明する内容以外は第１の実施の形態に係る放送受信装置と同様である。
【０１５０】
第３の実施の形態に係る放送受信装置１では、第２アイコンに、候補番組における、あるタイミングの画像が表示される。
【０１５１】
具体的には、第３の実施の形態では、放送受信装置１は、サーバ９に格納された候補番組の動画中で、例えば最もアクセス数の多かったタイミングの画像をダウンロードする。そして、その画像を第２アイコン１２に表示する。
【０１５２】
これにより、ユーザは、候補番組において最も多くのユーザに視聴された場面を候補番組情報として認識できる。しかも、上記第２の実施の形態の場合のように、わざわざアイコンに表示される動画又は画像を予め作成する必要がないため、その分の手間を省ける。
【０１５３】
なお、前述の各実施の形態では、アイコンが候補番組情報を含む構成としているが、この限りでなく、候補番組に関する情報として、ディスプレイに番組名及びチャンネル名を表示するだけでもよい。
【０１５４】
このような構成により、ユーザは、リモートコントローラ７を適宜操作して上記チャンネル名に対応するチャンネルを選択することで、候補番組を視聴できる。
【０１５５】
また、前述の各実施の形態では、候補番組情報としてチャンネル名を表示しているが、この限りでなく、チャンネル名の代わりに、又はチャンネル名とともに、チャンネルロゴを表示してもよい。
【０１５６】
また、前述の各実施の形態では、放送番組の終了直後又はコマーシャルの開始直後に候補番組の選定を開始しているが、この限りでなく、例えば所定のタイミング毎に候補番組を決定しておき、放送番組の終了直後又はコマーシャルの開始直後のタイミング時において、その時に決定されている候補番組の情報を表示部に表示してもよい。
【０１５７】
また、前述の各実施の形態では、局側装置としてＩＰＴＶに対応しているサーバを挙げているが、これに限らず、局側装置は、デジタル放送の放送局に設置される、電波を複数の放送受信装置に送信可能な装置であってもよい。
【０１５８】
上記各実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１５９】
１            放送受信装置
４            表示制御部
４ａ          受付部
４ｂ          情報提示開始部（番組情報提示部）
５ａ          タイミング決定部
５ｂ          候補番組決定部
７            リモートコントローラ（ユーザインタフェース）
７ｂ          チャンネルボタン
８ａ          表示部
９            サーバ
１１          第１アイコン（アイコン）
１２          第２アイコン（アイコン）
【図１】
2014107675.tif 000003
【図２】
2014107675.tif 000004
【図３】
2014107675.tif 000005
【図４】
2014107675.tif 000006
【図５】
2014107675.tif 000007
【図６】
2014107675.tif 000008
【図７】
2014107675.tif 000009